(57)【要約】【課題】簡素な構造で意匠面での差別化を容易に図れるプロジェクタを提供する。【解決手段】プロジェクタ１は、光源装置と、光源装置から射出された光束を画像情報に応じて変調する光変調装置と、光変調装置にて変調された光束をスクリーンに拡大投射する投射光学装置と、光源装置、光変調装置、および投射光学装置を内部に収納配置する外装筐体２とを備える。外装筐体２は、外装筐体２内部に向けて窪む凹部２１３を有する外装筐体本体２１と、外装筐体本体２１に対して、凹部２１３を閉塞可能に取り付けられる蓋体２３とを備える。【選択図】図３
2008176032.tif 000002
【特許請求の範囲】
【請求項１】
光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納配置する外装筐体とを備えたプロジェクタであって、
前記外装筐体は、
当該外装筐体内部に向けて窪む凹部を有する外装筐体本体と、
前記外装筐体本体に対して、前記凹部を閉塞可能に取り付けられる蓋体とを備えていることを特徴とするプロジェクタ。
【請求項２】
請求項１に記載のプロジェクタにおいて、
前記蓋体には、入力操作可能とする複数の操作キーを有する操作パネルが設けられていることを特徴とするプロジェクタ。
【請求項３】
請求項１または請求項２に記載のプロジェクタにおいて、
前記凹部の底部分には、前記外装筐体内部に収納配置される前記光源装置に対応する位置に前記光源装置を前記外装筐体内外に挿抜可能とする光源装置用開口部が形成されていることを特徴とするプロジェクタ。
【請求項４】
請求項１から請求項３のいずれかに記載のプロジェクタにおいて、
前記凹部の底部分には、前記外装筐体内部に収納配置される前記光変調装置に対応する位置に前記光変調装置を前記外装筐体外部に露出させる光変調装置用開口部が形成されていることを特徴とするプロジェクタ。
【請求項５】
請求項４に記載のプロジェクタにおいて、
前記光変調装置は、複数の色光毎にそれぞれ設けられ、
複数の前記光変調装置と、前記複数の光変調装置を取り付けるための複数の光束入射側端面を有し前記複数の光変調装置にて変調された各色光を合成して画像光を形成する色合成光学装置とが一体化された光学装置を備え、
前記光変調装置用開口部は、前記光学装置を前記外装筐体内外に挿抜可能とするように形成されていることを特徴とするプロジェクタ。
【請求項６】
請求項１から請求項５のいずれかに記載のプロジェクタにおいて、
前記凹部は、当該プロジェクタを所定の姿勢で設置した状態で当該プロジェクタが設置される設置面から離間し、鉛直方向に交差する面に形成されていることを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調する光変調装置と、光変調装置にて変調された光束をスクリーンに拡大投射する投射光学装置と、光源装置、光変調装置、および投射光学装置を内部に収納配置する外装筐体とを備えたプロジェクタが知られている（例えば、特許文献１参照）。
ところで、従来では、例えば、基本的な構成や構造を同一とする複数の機種を製造する際に、以下に示すように、機種毎に意匠面での差別化を図っている。
第１の方法としては、機種を明示するロゴプレートを機種毎に異なるものとする。
第２の方法としては、機種毎に外装筐体の色を異なるものとする。
第３の方法としては、機種毎に外装筐体の外観形状を異なるものとする。
【０００３】
【特許文献１】特開２００３−４３５８３号公報
【発明の開示】
【発明が解決しようとする課題】
【０００４】
しかしながら、第１の方法および第２の方法では、市場への訴求効果が少なく、機種毎に意匠面での差別化を効果的に図れているとは言えない。また、第３の方法では、機種毎に外装筐体全体を異なるものとする必要があるため、複数の機種を製造するにあたって、製造コストが高騰してしまう。
このため、簡素な構造で意匠面での差別化を容易に図れる技術が要望されている。
【０００５】
本発明の目的は、簡素な構造で意匠面での差別化を容易に図れるプロジェクタを提供することにある。
【課題を解決するための手段】
【０００６】
本発明のプロジェクタは、光源装置と、前記光源装置から射出された光束を画像情報に応じて変調する光変調装置と、前記光変調装置にて変調された光束をスクリーンに拡大投射する投射光学装置と、前記光源装置、前記光変調装置、および前記投射光学装置を内部に収納配置する外装筐体とを備えたプロジェクタであって、前記外装筐体は、当該外装筐体内部に向けて窪む凹部を有する外装筐体本体と、前記外装筐体本体に対して、前記凹部を閉塞可能に取り付けられる蓋体とを備えていることを特徴とする。
本発明では、外装筐体は、凹部を有する外装筐体本体と、外装筐体本体に対して凹部を閉塞可能に取り付けられる蓋体とを備える。このことにより、例えば、基本的な構成や構造を同一とする複数の機種を製造する際に、凹部および蓋体を外装筐体における外観上、大きい面積を占めるように形成し、機種毎に蓋体の色や表面処理を変えることで、意匠面での差別化を図りつつ、機種のバリエーションを増加できる。
したがって、簡素な構造で意匠面での差別化を容易に図れ、本発明の目的を達成できる。
【０００７】
本発明のプロジェクタでは、前記蓋体には、入力操作可能とする複数の操作キーを有する操作パネルが設けられていることが好ましい。
本発明では、蓋体には、操作パネルが設けられている。このことにより、例えば操作パネルが外装筐体本体に設けられた構成と比較して、機種毎に操作パネルの仕様を容易に変更できる。このため、機種毎に操作キーの数を変更したり操作パネル自体の外観構造を変更したりすることで、意匠面での差別化を図りつつ、機種の簡単なバリエーション追加が可能となる。
【０００８】
本発明のプロジェクタでは、前記凹部の底部分には、前記外装筐体内部に収納配置される前記光源装置に対応する位置に前記光源装置を前記外装筐体内外に挿抜可能とする光源装置用開口部が形成されていることが好ましい。
本発明では、凹部の底部分には、光源装置用開口部が形成されている。このことにより、光源装置が故障等した場合に、外装筐体本体から蓋体を取り外すことで、光源装置用開口部を介して光源装置の交換が可能となる。このため、上述した簡素な構造で意匠面での差別化を容易に図れるという効果を好適に図りつつ、プロジェクタのメンテナンス性を向上できる。
【０００９】
本発明のプロジェクタでは、前記凹部の底部分には、前記外装筐体内部に収納配置される前記光変調装置に対応する位置に前記光変調装置を前記外装筐体外部に露出させる光変調装置用開口部が形成されていることが好ましい。
本発明では、凹部の底部分には、光変調装置用開口部が形成されている。このことにより、光変調装置にゴミや毛羽による画像不良等が発生した場合に、外装筐体本体から蓋体を取り外すことで、光変調装置用開口部を介して光変調装置の掃除（ゴミや毛羽の除去）が可能となる。このため、上述した簡素な構造で意匠面での差別化を容易に図れるという効果を好適に図りつつ、プロジェクタのメンテナンス性を向上できる。
【００１０】
本発明のプロジェクタでは、前記光変調装置は、複数の色光毎にそれぞれ設けられ、複数の前記光変調装置と、前記複数の光変調装置を取り付けるための複数の光束入射側端面を有し前記複数の光変調装置にて変調された各色光を合成して画像光を形成する色合成光学装置とが一体化された光学装置を備え、前記光変調装置用開口部は、前記光学装置を前記外装筐体内外に挿抜可能とするように形成されていることが好ましい。
本発明では、プロジェクタは、複数の光変調装置および色合成光学装置が一体化された光学装置を備える。そして、光変調装置用開口部は、光学装置を外装筐体内外に挿抜可能とするように形成されている。このことにより、光学装置にゴミや毛羽による画像不良等が発生した場合に、外装筐体本体から蓋体を取り外すことで、光変調装置用開口部を介して光学装置を構成する複数の光変調装置の掃除（ゴミや毛羽の除去）を一括して実施できる。また、光変調装置が故障等した場合に、外装筐体本体から蓋体を取り外すことで、光変調装置用開口部を介して光学装置の交換が可能となる。このため、上述したプロジェクタのメンテナンス性を向上できるという効果を好適に図れる。
【００１１】
本発明のプロジェクタでは、前記凹部は、当該プロジェクタを所定の姿勢で設置した状態で当該プロジェクタが設置される設置面から離間し、鉛直方向に交差する面に形成されていることが好ましい。
ところで、プロジェクタでは、机等に設置された際の正置き姿勢、および天井等から吊り下げた状態で設置された際の天吊り姿勢においても、底面部分が机や天井等の設置面側に位置するため、外装筐体における設置面から離間した側の天面部分が当該プロジェクタの外観デザインを大きく決定するものである。
本発明では、凹部は、プロジェクタを所定の姿勢で設置した状態でプロジェクタが設置される設置面から離間し、鉛直方向に交差する面（天面）に形成されている。このことにより、外観デザインを大きく決定する天面に配設される蓋体を、機種毎に色や表面処理を変えたりすることで、意匠面での差別化を効果的に図れる。
【発明を実施するための最良の形態】
【００１２】
[第１実施形態]
以下、本発明の第１実施形態を図面に基づいて説明する。
〔プロジェクタの概略構成〕
図１は、第１実施形態におけるプロジェクタ１の外観を示す斜視図である。具体的に、図１は、プロジェクタ１を背面上方側から見た斜視図である。
図２は、プロジェクタ１の内部構成を模式的に示す図である。
なお、図１および図２では、説明の便宜上、プロジェクタ１からの光束の投射方向をＺ軸とし、該Ｚ軸に直交する２軸をそれぞれＸ軸（水平軸）およびＹ軸（垂直軸）とする。以下の図面も同様である。
プロジェクタ１は、光源から射出される光束を画像情報に応じて変調してカラー画像（画像光）を形成し、このカラー画像をスクリーン（図示略）上に拡大投射するものである。このプロジェクタ１は、図１または図２に示すように、略直方体状の外装筐体２内部に後述する装置本体が収納された構成を有している。
【００１３】
外装筐体２は、具体的には後述するが、合成樹脂製の筐体であり、プロジェクタ１の装置本体を収納する。
なお、外装筐体２は、合成樹脂等に限らず、その他の材料にて形成してもよく、例えば、金属等により構成してもよい。
【００１４】
外装筐体２内部に収納された装置本体は、図２に示すように、投射光学装置としての投射レンズ３と、光学ユニット４等を備える。
なお、図２において、具体的な図示は省略したが、装置本体は、投射レンズ３、および光学ユニット４の他、プロジェクタ１内部の各構成部材に電力を供給する電源ユニット、プロジェクタ１内部の各構成部材を冷却する冷却ファン等を備えた冷却ユニット、およびプロジェクタ１内部の各構成部材を制御する制御装置等を備えているものとする。
【００１５】
投射レンズ３は、具体的な図示は省略したが、複数のレンズと、前記複数のレンズを収納する筒状の鏡筒とで構成され、光学ユニット４により形成されたカラー画像を拡大投射する。
前記鏡筒は、筒状軸を中心として回転することで前記複数のレンズの相対位置を変更可能としスクリーン上の投影画像のフォーカス調整やズーム調整を実施するためのリング状の位置変更部３１（図１）を含んで構成される。また、位置変更部３１には、図１に示すように、回転操作するための突起部３１Ａが形成されている。
【００１６】
光学ユニット４は、図２に示すように、外装筐体２の背面に沿って延出するとともに、外装筐体２の側面に沿って延出する平面視略Ｌ字形状を有し、前記制御装置による制御の下、光源から射出された光束を光学的に処理して画像情報に対応したカラー画像を形成するユニットである。この光学ユニット４は、図２に示すように、光源装置４１と、均一照明光学装置４２と、色分離光学装置４３と、リレー光学装置４４と、光学装置４５と、光学部品用筐体４６とを備える。
【００１７】
光源装置４１は、前記制御装置による制御の下、点灯し、均一照明光学装置４２に向けて光束を射出する。この光源装置４１は、図２に示すように、光源ランプ４１１およびリフレクタ４１２を有する光源装置本体４１Ａと、平行化レンズ４１３と、これら各部材４１１〜４１３を内部に収納して一体化するインナーハウジング（図示略）とを備える。前記インナーハウジングは、光学部品用筐体４６に接続したアウターハウジング４１４（図２）に対して＋Ｙ軸方向側から装着可能に構成され、アウターハウジング４１４に装着されることで、各部材４１１〜４１３を光学部品用筐体４６に対する所定位置（光源装置４１から射出される光束の中心軸と光学部品用筐体４６内に設定された照明光軸Ａとが一致する位置）に位置決めする。そして、光源ランプ４１１から射出された放射状の光束は、リフレクタ４１２にて反射され、平行化レンズ４１３を介して平行光とされる。
なお、図２では、リフレクタ４１２を楕円面リフレクタとして構成していたが、これに限らず、光源ランプ４１１から射出された光束を略平行光として反射するパラボラリフレクタとして構成しても構わない。この場合には、平行化レンズ４１３を省略する。
【００１８】
均一照明光学装置４２は、光源装置４１から射出された光束を、光学装置４５を構成する後述する液晶パネルの画像形成領域に略均一に照明するための光学系である。この均一照明光学装置４２は、図２に示すように、第１レンズアレイ４２１と、第２レンズアレイ４２２と、偏光変換素子４２３と、重畳レンズ４２４とを備える。
第１レンズアレイ４２１は、入射光軸方向から見て略矩形状の輪郭を有する第１小レンズが、入射光軸に対し略直交する面内においてマトリクス状に配列された構成を有している。各第１小レンズは、光源装置４１から射出される光束を複数の部分光束に分割している。
第２レンズアレイ４２２は、第１レンズアレイ４２１と略同様な構成を有しており、第２小レンズがマトリクス状に配列された構成を有している。この第２レンズアレイ４２２は、重畳レンズ４２４とともに、第１レンズアレイ４２１の各第１小レンズの像を光学装置４５の後述する液晶パネル上に結像させる機能を有している。
【００１９】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００２０】
色分離光学装置４３は、図２に示すように、２枚のダイクロイックミラー４３１，４３２と、反射ミラー４３３とを備え、ダイクロイックミラー４３１，４３２により均一照明光学装置４２から射出された複数の部分光束を、赤、緑、青の３色の色光に分離する機能を有している。
リレー光学装置４４は、図２に示すように、入射側レンズ４４１、リレーレンズ４４３、および反射ミラー４４２，４４４を備え、色分離光学装置４３で分離された赤色光を光学装置４５の後述する赤色光用の液晶パネルまで導く機能を有している。
この際、色分離光学装置４３のダイクロイックミラー４３１では、均一照明光学装置４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。
このフィールドレンズ４２５は、第２レンズアレイ４２２から射出された各部分光束をその中心軸（主光線）に対して平行な光束に変換する。他の緑色光用、赤色光用の液晶パネルの光束入射側に設けられたフィールドレンズ４２５も同様である。
【００２１】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学装置４４を通り、さらにフィールドレンズ４２５を通って光学装置４５の後述する赤色光用の液晶パネルに達する。
なお、赤色光にリレー光学装置４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００２２】
光学装置４５は、入射した光束を画像情報に応じて変調して画像光（カラー画像）を形成するものである。この光学装置４５は、図２に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、各液晶パネル４５１の光束入射側および光束射出側にそれぞれ配置される入射側偏光板４５２および射出側偏光板４５３と、色合成光学装置としてのクロスダイクロイックプリズム４５４とを備える。
【００２３】
入射側偏光板４５２は、色分離光学装置４３で分離された各色光のうち、偏光変換素子４２３で揃えられた偏光方向と略同一方向の偏光方向を有する偏光光のみ透過させ、その他の光束を吸収するものであり、具体的な図示は省略するが、透光性基板上に偏光膜が貼付されて構成されている。
液晶パネル４５１は、具体的な図示は省略するが、一対の透明なガラス基板に電気工学物質である液晶が密閉封入された構成を有し、前記制御装置からの駆動信号に応じて、前記液晶の配向状態が制御され、入射側偏光板４５２から射出された偏光光束の偏光方向を変調する。
【００２４】
射出側偏光板４５３は、入射側偏光板４５２と同様の構成を有し、液晶パネル４５１から射出された光束のうち、入射側偏光板４５２における光束の透過軸と直交する偏光方向を有する光束のみ透過させ、その他の光束を吸収するものである。
クロスダイクロイックプリズム４５４は、射出側偏光板４５３から射出された色光毎に変調された変調光を合成して画像光（カラー画像）を形成する光学素子である。このクロスダイクロイックプリズム４５４は、４つの直角プリズムを貼り合わせた平面視正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、各液晶パネル４５１Ｒ，４５１Ｂから射出され各射出側偏光板４５３を介した各色光を反射する。このようにして、各色光が合成されてカラー画像が形成される。そして、クロスダイクロイックプリズム４５４で形成されたカラー画像は、上述した投射レンズ３によりスクリーン等へ拡大投射される。
【００２５】
以上説明した光学装置４５において、３枚の液晶パネル４５１および３枚の射出側偏光板４５３は、クロスダイクロイックプリズム４５４における各光束入射側端面４５４１（図２）にそれぞれ取り付けられている。すなわち、各液晶パネル４５１、各射出側偏光板４５３、およびクロスダイクロイックプリズム４５４は、一体化し、光学装置本体４５Ａ（図２）を構成する。
なお、具体的な図示は省略するが、光学装置本体４５Ａは、光学部品用筐体４６に対して該光学装置本体４５Ａを装着するための台座を有している。前記台座は、クロスダイクロイックプリズム４５４の＋Ｙ軸方向側端面に取り付けられ、ＸＺ平面に沿って延出する複数の腕部を有し、光学部品用筐体４６に対して＋Ｙ軸方向側から前記腕部を介して装着可能に構成されている。
【００２６】
光学部品用筐体４６は、内部に所定の照明光軸Ａ（図２）が設定された筐体であり、上述した各光学部品４２〜４５を照明光軸Ａに対する所定位置に収納配置する。
なお、具体的な図示は省略するが、光学部品用筐体４６において、＋Ｙ軸方向側端面の光学装置４５に対応する位置には、開口部が形成されている。そして、前記開口部を介して光学部品用筐体４６外部に光学装置本体４５Ａが露出する。
【００２７】
〔外装筐体の詳細な構成〕
外装筐体２は、図１に示すように、外装筐体本体としてのアッパーケース２１およびロアーケース２２と、蓋体２３とを備える。
ロアーケース２２は、図１に示すように、アッパーケース２１に対して−Ｙ軸方向側に位置し、＋Ｙ軸方向側が開放した容器状に形成され、プロジェクタ１の底面、前面の一部、背面の一部、および側面の一部を構成する部分である。
このロアーケース２２の前面部分において、＋Ｘ軸方向側には、具体的な図示は省略するが、外装筐体２内部に配設される投射レンズ３に対向する位置に、投射レンズ３から拡大投射される光束を通過させるための切り欠きが形成されている。
【００２８】
このロアーケース２２の背面部分において、Ｘ軸方向略中央部分から＋Ｘ軸方向端部側にかけて、図１に示すように、＋Ｙ軸方向側に突出する突出部２２１が形成されている。
この突出部２２１には、図１に示すように、ロアーケース２２内側（＋Ｚ軸方向側）に向けて窪む端子配設用凹部２２１１が形成されている。また、この端子配設用凹部２２１１の底部分には、図１に示すように、複数の孔２２１１Ａが形成され、これら複数の孔２２１１Ａを介して、外部の電子機器からの画像信号、音声信号等を入力するための複数の接続端子２２１１Ｂが外部に露出している。この背面部分の内側には、接続端子２２１１Ｂから入力される信号を処理する図示しないインターフェース基板が配置されている。
なお、前記インターフェース基板は、前記制御装置と電気的に接続され、前記インターフェース基板にて処理された信号は、前記制御装置に出力される。
また、端子配設用凹部２２１１の底部分には、図１に示すように、＋Ｙ軸方向側の各角隅部分に、図示しない固定ねじを挿通可能とし、蓋体２３を固定するための固定用孔２２１１Ｃがそれぞれ形成されている。
【００２９】
図３は、アッパーケース２１および蓋体２３を分解した分解斜視図である。具体的に、図３は、背面上方側からアッパーケース２１および蓋体２３を見た分解斜視図である。
アッパーケース２１は、図１または図３に示すように、ロアーケース２２に対して＋Ｙ軸方向側に位置し、−Ｙ軸方向側が開放した容器状に形成され、プロジェクタ１の天面、前面の一部、背面の一部、および側面の一部を構成する部分である。
このアッパーケース２１の前面部分において、＋Ｘ軸方向側には、具体的な図示は省略するが、ロアーケース２２の前面部分に形成された前記切り欠きに対応して、切り欠きが形成されている。そして、アッパーケース２１およびロアーケース２２を互いに組み合わせた状態で各切り欠きにより外装筐体２内外を連通する開口部が形成される。すなわち、前記開口部を介して投射レンズ３から拡大投射された光束が通過することとなる。
【００３０】
このアッパーケース２１の背面部分において、Ｘ軸方向略中央部分から＋Ｘ軸方向端部側にかけて、図１または図３に示すように、ロアーケース２２の突出部２２１に対応し、アッパーケース２１およびロアーケース２２を互いに組み合わせた状態で突出部２２１が配置される切り欠き２１１が形成されている。
【００３１】
このアッパーケース２１の天面部分において、＋Ｚ軸方向側でかつ＋Ｘ軸方向側の角隅部分（前面側から見て右前方側の角隅部分）には、図１または図３に示すように、投射レンズ３を構成する位置変更部３１の突起部３１Ａを露出させるための露出用開口部２１２が形成されている。そして、利用者は、露出用開口部２１２を介して突起部３１Ａを操作することで、投影画像のフォーカス調整やズーム調整を実施する。
【００３２】
また、このアッパーケース２１の天面部分において、露出用開口部２１２の−Ｚ軸方向側には、図３に示すように、Ｘ軸方向に延出し、平面視（Ｙ軸方向から見た場合）略矩形状の凹部２１３が形成されている。この凹部２１３は、本実施形態では、アッパーケース２１の天面部分（プロジェクタ１を正置き姿勢や天吊り姿勢で設置した際の机や天井等の設置面から離間した側の面）の大部分を占める（図３では、略半分以上の面積を占める）ように形成されている。
【００３３】
この凹部２１３の底部分には、図３に示すように、外装筐体２内部に配設される光源装置４１に対応した位置（凹部２１３の底部分における前面側から見て左後方側の角隅部分）に、光源装置用開口部２１３１が形成されている。この光源装置用開口部２１３１は、平面視（Ｙ軸方向から見た場合）で、光源装置４１の外形形状よりも若干大きい形状を有し、光源装置４１の＋Ｙ軸方向側を外部に露出する。すなわち、光源装置用開口部２１３１は、光源装置４１を外装筐体２内外（外装筐体２内部の光学部品用筐体４６に接続されたアウターハウジング４１４、および外装筐体２外部）に挿抜可能とするランプ交換用の開口部として機能する。
【００３４】
また、この凹部２１３の底部分には、図３に示すように、外装筐体２内部に配設される光学装置４５に対応した位置（凹部２１３の底部分における前面側から見て右前方側の角隅部分）に、光変調装置用開口部２１３２が形成されている。この光変調装置用開口部２１３２は、平面視（Ｙ軸方向から見た場合）で、光学装置本体４５Ａの外形形状よりも若干大きい形状を有し、光学装置本体４５Ａの＋Ｙ軸方向側を外部に露出する。すなわち、光変調装置用開口部２１３２は、光学装置本体４５Ａを外装筐体２内外（外装筐体２内部の光学部品用筐体４６内部、および外装筐体２外部）に挿抜可能とする光学装置本体４５Ａ交換用の開口部として機能する。
【００３５】
さらに、この凹部２１３の底部分には、図３に示すように、−Ｚ軸方向側でかつ＋Ｘ軸方向側の角隅部分（凹部２１３の底部分における前面側から見て右後方側の角隅部分）に、操作接続用開口部２１３３が形成されている。この操作接続用開口部２１３３は、蓋体２３に設けられた後述する操作パネルと外装筐体２内部に配設される前記制御装置とを電気的に接続するＦＰＣ(Flexible Print Circuit)ケーブル等を挿通する開口部である。
【００３６】
そして、凹部２１３には、以下に示すように、蓋体２３と接続するための接続構造が形成されている。
凹部２１３において、＋Ｚ軸方向の側壁部分には、図３に示すように、該凹部２１３の底面部分に連接し、Ｚ軸方向に貫通する平面視（Ｚ軸方向から見た場合）矩形状の一対の係止用孔２１３４が形成されている。これら一対の係止用孔２１３４は、図３に示すように、Ｘ軸方向に並設され、蓋体２３の後述する係止用突起部の一部が挿通され、蓋体２３の＋Ｚ軸方向側を凹部２１３に対して係止する部分である。
また、凹部２１３の底面部分において、−Ｚ軸方向側には、図３に示すように、Ｙ軸方向に貫通する平面視（Ｙ軸方向から見た場合）矩形状の一対の挿通孔２１３５が形成されている。これら一対の挿通孔２１３５は、図３に示すように、Ｘ軸方向に並設され、蓋体２３の後述する固定用突起部が挿通される部分である。
なお、各挿通孔２１３５は、具体的な図示は省略するが、アッパーケース２１およびロアーケース２２を互いに組み合わせた状態で、ロアーケース２２に形成された一対の固定用孔２２１１ＣとＸ軸方向の位置がそれぞれ同一となるように形成されている。
【００３７】
蓋体２３は、図３に示すように、凹部２１３と略同一の平面形状（平面視矩形形状）を有し、アッパーケース２１に取り付け可能に構成され、アッパーケース２１に取り付けることで凹部２１３を閉塞し、アッパーケース２１の天面部の一部を構成する。
この蓋体２３において、略中央部分には、図１または図３に示すように、プロジェクタ１の電源オン／オフ、投影画像の画質調整、音量調整等を実施するための操作パネル２３１が左右方向に延びるように設けられている。そして、操作パネル２３１の操作キー２３１１（操作ボタン）を適宜押下すると、操作キー２３１１内部に配置される図示しない回路基板に実装されたタクトスイッチと接触し、所望の操作が可能となる。
なお、上述した操作パネル２３１の回路基板は、プロジェクタ１を組み立てた状態で、凹部２１３と蓋体２３とで囲まれる空間に配設される。そして、前記回路基板は、前記制御装置とＦＰＣケーブル等を介して電気的に接続し、操作キー２３１１の押下に伴う操作信号は、ＦＰＣケーブル等を介して前記制御基板に出力される。
【００３８】
本実施形態では、操作パネル２３１への操作に応じてプロジェクタ１が各種機能を実行する他、操作パネル２３１の操作キー２３１１と同様の操作キーを有するリモートコントローラ（図示略）への操作に応じてもプロジェクタ１が各種機能を実行するように構成されている。
【００３９】
そして、蓋体２３は、以下に示すように、アッパーケース２１と接続するための接続構造が形成されている。
蓋体２３において、−Ｙ軸方向側端面の＋Ｚ軸方向側端縁近傍には、図３に示すように、アッパーケース２１の一対の係止用孔２１３４に対応して、一対の係止用突起部２３２が形成されている。これら一対の係止用突起部２３２は、蓋体２３の−Ｙ軸方向側端面からＸＹ平面に略平行に−Ｙ軸方向に突出する突出部２３２１と、突出部２３２１の突出方向先端部分からＸＺ平面に略平行して＋Ｚ軸方向に延出する挿通部２３２２とを備えた板状に構成されている。
そして、アッパーケース２１に蓋体２３を取り付けた状態では、一対の係止用突起部２３２における各挿通部２３２２の−Ｙ軸方向端面が凹部２１３の底部分に当接するとともに、各挿通部２３２２の＋Ｚ軸方向先端部分が各係止用孔２１３４に挿通される。この状態では、各挿通部２３２２の凹部２１３の底部分への当接によって蓋体２３における＋Ｚ軸方向側が−Ｙ軸方向側に移動することが規制されるとともに、各挿通部２３２２の各係止用孔２１３４への挿通によって蓋体２３における＋Ｚ軸方向側が＋Ｙ軸方向側に移動することが規制される。
なお、上記の状態において、蓋体２３の＋Ｙ軸方向端面とアッパーケース２１における凹部２１３を除く＋Ｙ軸方向端面とが略面一となる。すなわち、一対の係止用突起部２３２は、アッパーケース２１に対して蓋体２３を取り付けた状態でアッパーケース２１および蓋体２３が略面一となるＹ軸方向寸法を有している。
【００４０】
また、蓋体２３において、−Ｙ軸方向側端面の−Ｚ軸方向側端縁近傍には、図３に示すように、アッパーケース２１の一対の挿通孔２１３５に対応して、一対の固定用突起部２３３が形成されている。これら一対の固定用突起部２３３は、蓋体２３の−Ｙ軸方向側端面から−Ｙ軸方向に突出する突出部２３３１と、突出部２３３１の突出方向先端部分に設けられＺ軸方向に沿ってねじ孔２３３２Ａが形成された固定部２３３２とで構成されている。
また、上述したようにアッパーケース２１に蓋体２３を取り付けた状態では、蓋体２３が凹部２１３と略同一の平面形状を有しているため、蓋体２３における−Ｚ軸方向側端縁が凹部２１３における−Ｚ軸方向に交差する側壁部分に当接する。このため、蓋体２３における−Ｚ軸方向側が−Ｙ軸方向側に移動することが規制される。また、この状態では、一対の固定用突起部２３３は、各挿通孔２１３５に挿通され、各固定部２３３２の各ねじ孔２３３２Ａがロアーケース２２に形成された一対の固定用孔２２１１Ｃに対向した状態となる。そして、図示しない固定ねじを各固定用孔２２１１Ｃを介して一対の固定用突起部２３３における各ねじ孔２３３２Ａに螺合することで、蓋体２３における−Ｚ軸方向側が＋Ｙ軸方向側に移動することが規制され、蓋体２３が外装筐体２に固定される。
【００４１】
上述した第１実施形態によれば、以下の効果がある。
本実施形態では、外装筐体２は、凹部２１３を有するアッパーケース２１と、ロアーケース２２と、アッパーケース２１に対して凹部２１３を閉塞可能に取り付けられる蓋体２３とを備える。また、凹部２１３は、アッパーケース２１の天面部分の大部分を占めるように形成されている。このことにより、例えば、基本的な構成や構造を同一とする複数の機種を製造する際に、機種毎に蓋体２３の色や表面処理を変えることで、意匠面での差別化を図りつつ、機種のバリエーションを増加できる。
したがって、簡素な構造で意匠面での差別化を容易に図れる。
【００４２】
また、蓋体２３には、操作パネル２３１が設けられている。このことにより、例えば操作パネル２３１がアッパーケース２１やロアーケース２２に設けられた構成と比較して、機種毎に操作パネル２３１の仕様を容易に変更できる。このため、機種毎に操作キー２３１１の数を変更して必要最小限の操作キー２３１１を有する操作パネル２３１としたり操作パネル２３１自体の外観構造を変更したりすることで、意匠面での差別化を図りつつ、機種の簡単なバリエーション追加が可能となる。
【００４３】
ここで、凹部２１３の底部分には、光源装置用開口部２１３１が形成されている。このことにより、光源装置４１が故障等した場合に、アッパーケース２１から蓋体２３を取り外すことで、光源装置用開口部２１３１を介して光源装置４１の交換が可能となる。このため、上述した簡素な構造で意匠面での差別化を容易に図れるという効果を好適に図りつつ、プロジェクタ１のメンテナンス性を向上できる。
【００４４】
また、凹部２１３の底部分には、光変調装置用開口部２１３２が形成されている。このことにより、液晶パネル４５１にゴミや毛羽による画像不良等が発生した場合に、アッパーケース２１から蓋体２３を取り外すことで、光変調装置用開口部２１３２を介して液晶パネル４５１の掃除（ゴミや毛羽の除去）が可能となる。このため、プロジェクタ１のメンテナンス性をさらに向上できる。
ここで、プロジェクタ１は、３つの液晶パネル４５１、３つの射出側偏光板４５３、およびクロスダイクロイックプリズム４５４が一体化された光学装置本体４５Ａを備える。そして、光変調装置用開口部２１３２は、光学装置本体４５Ａを外装筐体２内外に挿抜可能とするように形成されている。このことにより、光変調装置用開口部２１３２を介して光学装置本体４５Ａを構成する３つの液晶パネル４５１の掃除（ゴミや毛羽の除去）を一括して実施できる。また、液晶パネル４５１が故障等した場合に、光変調装置用開口部２１３２を介して光学装置本体４５Ａの交換が可能となる。このため、プロジェクタ１のメンテナンス性をさらに一層向上できる。
【００４５】
そして、凹部２１３は、プロジェクタ１を正置き姿勢や天吊り姿勢で設置した際の机や天井等の設置面から離間した側の天面部分に形成されている。このことにより、プロジェクタ１の外観デザインを大きく決定する天面部分に配設される蓋体２３を、機種毎に色や表面処理を変えたり、操作パネル２３１の仕様を変更したりすることで、意匠面での差別化を効果的に図れる。
【００４６】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図４は、第２実施形態におけるアッパーケース２１´および蓋体２３´を分解した分解斜視図である。具体的に、図４は、背面上方側からアッパーケース２１´および蓋体２３´を見た分解斜視図である。
本実施形態では、蓋体２３´は、図４に示すように、第１実施形態で説明した蓋体２３に対して、操作パネル２３１が省略されている。すなわち、本実施形態では、リモートコントローラ（図示略）への操作に応じてのみプロジェクタ１が各種機能を実行するように構成されている。また、外装筐体２´を構成する外装筐体本体としてのアッパーケース２１´は、図４に示すように、操作パネル２３１の省略に伴い、操作接続用開口部２１３３が省略されている。操作パネル２３１を省略した点、操作接続用開口部２１３３を省略した点以外は、前記第１実施形態と同様のものである。
【００４７】
上述した第２実施形態においては、蓋体２３´およびアッパーケース２１´として操作パネル２３１および操作接続用開口部２１３３を省略した構造とした場合であっても、前記第１実施形態と同様の効果を享受できる。
また、蓋体２３´から操作パネル２３１を省略することで、リモートコントローラ（図示略）への操作に応じてのみプロジェクタ１が各種機能を実行する構成となり、間違って操作キーが押下されたり等、不要に操作されることがない。
【００４８】
なお、本発明は前述の実施形態に限定されるものではなく、本発明の目的を達成できる範囲での変形、改良等は本発明に含まれるものである。
前記各実施形態では、凹部２１３は、外装筐体２における天面部分に形成されていたが、これに限らず、その他の部分、例えば、前面部分、背面部分、側面部分、および底面部分等に形成しても構わない。また、凹部２１３は、平面視矩形形状としていたが、これに限らず、その他の形状、例えば、平面視円形状としても構わない。
前記各実施形態において、外装筐体２，２´に対する蓋体２３，２３´の接続構造は、前記各実施形態で説明した接続構造に限らず、その他の接続構造を採用しても構わない。
前記各実施形態において、外装筐体本体は、アッパーケース２１，２１´およびロアーケース２２の２体で構成されていたが、これに限らず、３体以上で構成されていても構わない。
【００４９】
前記各実施形態では、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、前記各実施形態では、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
前記各実施形態では、色合成光学装置としてクロスダイクロイックプリズム４５４を採用していたが、これに限らず、ダイクロイックミラーを複数用いることで各色光を合成する構成を採用してもよい。
【００５０】
前記各実施形態では、プロジェクタ１は、液晶パネル４５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いてもよい。
前記各実施形態では、光変調装置として液晶パネルを用いていたが、マイクロミラーを用いたデバイスなど、液晶以外の光変調装置を用いてもよい。この場合は、光束入射側および光束射出側の偏光板４５２，４５３は省略できる。
【００５１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００５２】
本発明は、簡素な構造で意匠面での差別化を容易に図れるため、プレゼンテーションやホームシアタに用いられるプロジェクタとして利用できる。
【図面の簡単な説明】
【００５３】
【図１】第１実施形態におけるプロジェクタの外観を示す斜視図。
【図２】前記実施形態におけるプロジェクタの内部構成を模式的に示す図。
【図３】前記実施形態におけるアッパーケースおよび蓋体を分解した分解斜視図。
【図４】第２実施形態におけるアッパーケースおよび蓋体を分解した分解斜視図。
【符号の説明】
【００５４】
１・・・プロジェクタ、２，２´・・・外装筐体、３・・・投射レンズ（投射光学装置）、２１，２１´・・・アッパーケース（外装筐体本体）、２３，２３´・・・蓋体、４１・・・光源装置、２１３・・・凹部、２３１・・・操作パネル、４５１・・・液晶パネル（光変調装置）、４５４・・・クロスダイクロイックプリズム（色合成光学装置）、２１３１・・・光源装置用開口部、２１３２・・・光変調装置用開口部、２３１１・操作キー。
【図１】
2008176032.tif 000003
【図２】
2008176032.tif 000004
【図３】
2008176032.tif 000005
【図４】
2008176032.tif 000006